(57)【要約】【課題】園芸施設などの各種施設において、様々な形状、大きさのカーテンを取り付ける場合でも、現地での調整を容易にすることの可能なカーテン開閉装置を提供する。【解決手段】カーテン開閉装置１００は、レール１１０に沿って走行するランナー１２０と、ランナー１２０とともにレール１１０に沿って開閉可能に案内されるカーテン１３０と、を備え、ランナー１２０には複数の環状部１４２を有するチェーン１４０が接続され、カーテン１３０はチェーン１４０の複数の環状部１４２のうちいずれかと連結フック１５０によって連結されることによって、カーテン１３０とレール１１０との相対位置が調整されるように構成される。このような構成により、園芸施設などの各種施設において、様々な形状、大きさのカーテンを取り付ける場合でも、現地での調整を容易にすることが可能である。【選択図】図４
2018138007.tif 000002
【特許請求の範囲】
【請求項１】
支持部材に沿って走行する案内部材と、
前記案内部材とともに前記支持部材に沿って開閉可能に案内されるカーテンと、
を備え、
前記案内部材には複数の係止部を有する位置調整部が接続され、
前記カーテンは前記位置調整部の複数の係止部のうちいずれかと連結部によって連結されることによって、前記カーテンと前記支持部材との相対位置が調整されることを特徴とする、カーテン開閉装置。
【請求項２】
前記位置調整部は長尺状のチェーンであり、前記係止部は前記チェーンを構成する環状部であることを特徴とする、請求項１に記載のカーテン開閉装置。
【請求項３】
前記チェーンは、一端が前記案内部材に接続され、他端が自由端であり、
前記連結部に係止された環状部から自由端側に位置する各環状部は、前記カーテンと干渉することなく垂下することを特徴とする、請求項２に記載のカーテン開閉装置。
【請求項４】
前記案内部材と前記カーテンとは水平方向に連結可能であることを特徴とする、請求項１〜３のいずれかに記載のカーテン開閉装置。
【発明の詳細な説明】
【技術分野】
【０００１】
本発明は、カーテン開閉装置に関する。
【背景技術】
【０００２】
従来のカーテン開閉装置、特に園芸施設内に設置されるカーテン開閉装置としては、特開２０１４−５７５６７号公報（特許文献１）に示されるものがある。同文献には、互いに対向する一対の側壁の上端同士を繋ぐ屋根が奥行方向に延長されたハウス本体の内側において屋根に沿ってカーテンを設け、カーテンは奥行方向に延長されている支持部にて支持されて奥行方向に沿って開閉するように構成されていることが開示される。これにより、カーテンは、ハウス本体の奥行方向に延長されている支持部にて支持され、支持部に沿って奥行方向に開閉するように構成されているので、全開状態のカーテンによる日射量の低下を抑制できるという特徴がある。
【０００３】
また、カーテンは、ハウス本体の奥行方向と直交する方向に両端間に亘って延長された帯状の補強帯と、各補強帯に支持部の本数分のハトメを有しており、支持部に沿って移動自在な滑車に連結されたフックをハトメに通すことにより、カーテンが滑車に保持されることが開示されている。これにより、カーテンを取り付ける際、作業者は、決まった位置に設けられているハトメにフックを通すだけで、簡単にカーテンを支持部に吊り下げることができる特徴がある。
【先行技術文献】
【特許文献】
【０００４】
【特許文献１】特開２０１４−５７５６７号公報
【発明の概要】
【発明が解決しようとする課題】
【０００５】
しかしながら、園芸施設などの各種施設にカーテンを設置する場合には、施設の形状、大きさが様々で、その形状や大きさに合わせたカーテンが必要となり、カーテンの支持部とカーテンとの間隔はある程度許容されるものの、その間隔が大きいとカーテンの取付けが不可能となり、現地での調整が難しいという課題があった。
【０００６】
そこで本発明は、このような問題に鑑みてなされたもので、その目的とするところは、園芸施設などの各種施設において、様々な形状、大きさのカーテンを取り付ける場合でも、現地での調整を容易にすることの可能なカーテン開閉装置を提供することにある。
【課題を解決するための手段】
【０００７】
上記課題を解決するために、本発明によれば、支持部材に沿って走行する案内部材と、前記案内部材とともに前記支持部材に沿って開閉可能に案内されるカーテンと、を備え、前記案内部材には複数の係止部を有する位置調整部が接続され、前記カーテンは前記位置調整部の複数の係止部のうちいずれかと連結部によって連結されることによって、前記カーテンと前記支持部材との相対位置が調整されることを特徴とする、カーテン開閉装置が提供される。
【０００８】
かかる構成によれば、ランナーには長手方向に複数の係止部を有する位置調整部が接続され、カーテンは複数の係止部のうちいずれかと連結部によって連結するようにしたため、案内部材とカーテンとの距離に合わせて位置調整部に対する連結部の係止位置を変更することで、案内部材とカーテンとを連結すると同時に好みの距離に設定することができる。また、位置調整部をカーテンの左右に位置する案内部材に設け、係止する係止部の位置を左右で合わせることで、カーテンの左右のバランスをとることができる。特に園芸施設内に設置されるカーテンに適用した場合は、園芸施設の大きさに合わせてカーテンの張り具合を最適な状態となるよう調整できる。以上のように、本発明によれば、園芸施設などの各種施設において、様々な形状、大きさのカーテンを取り付ける場合でも、現地での調整を容易にすることが可能である。
【０００９】
本発明は様々な応用が可能である。以下の応用例は適宜組み合わせることが可能である。
例えば、前記位置調整部は長尺状のチェーンであり、前記係止部は前記チェーンを構成する環状部であってもよい。位置調整部をチェーンとすることで、チェーンのいずれかの環状部を連結部によってカーテンに連結するだけで、カーテンの張り具合を最適な状態となるよう調整できる。また、チェーンを採用することで高い耐久性を備えることができる。
【００１０】
また、前記チェーンは、一端が前記案内部材に接続され、他端が自由端であり、前記連結部に係止された環状部から自由端側に位置する各環状部は、前記カーテンと干渉することなく垂下するようにしてもよい。係止位置の調整によってチェーンの余剰となった部分はカーテンと干渉することなく自重によって垂下するため、カーテンの開閉に支障が出ることを防止できる。
【００１１】
前記案内部材と前記カーテンとは水平方向に連結可能であってもよい。かかる構成によれば、カーテンを水平方向に設けることができるため、園芸施設内で使用するのに好適である。すなわち、園芸施設内で天井部を覆うようにカーテンを設ける場合、園芸施設内の天頂部と左右の肩部にレールを配置し、左右の肩部に配置した支持部材に沿って開閉する案内部材とカーテンとを連結するような構成が考えられるが、案内部材とカーテンとを水平方向に連結できるため、カーテンを水平方向に配置することができる。よって、園芸施設内で天井部を覆うようにカーテンを容易に設置することができる。
【００１２】
また、前記案内部材と前記カーテンとは水平方向に連結可能であり、かつ案内部材とカーテンとをチェーンを介して連結するようにすると、チェーンは水平方向に配置されることになり、案内部材とカーテンとを容易に水平方向に連結できる。さらにこのような構成を園芸施設内の天井部を覆うように設置されるカーテンに適用した場合は、園芸施設の大きさに合わせてカーテンの張り具合を最適な状態となるよう調整できる。
【００１３】
またさらに、前記案内部材と前記カーテンとは水平方向に連結可能であり、かつチェーンの一端が案内部材に接続され他端が自由端である構成と併用すると、連結部に係止された環状部から自由端側に位置する各環状部が自然に垂下し、チェーンとカーテンとの干渉が回避されて、カーテンの開閉に支障が出ることを防止できる。
【発明の効果】
【００１４】
本発明によれば、園芸施設などの各種施設において、様々な形状、大きさのカーテンを取り付ける場合でも、現地での調整を容易にすることが可能である。本発明のその他の効果については、後述する発明を実施するための形態においても説明する。
【図面の簡単な説明】
【００１５】
【図１】第１の実施形態のカーテン開閉装置が用いられた園芸施設のカーテンを閉じた状態における全体構成を示す斜視図である。
【図２】カーテンを閉じた状態を示す図であり、（ａ）は正面図であり、（ｂ）は側面図である。
【図３】カーテン開閉装置を説明するための図であり、（ａ）はカーテン、チェーン及び連結フックのそれぞれを説明するための図であり、（ｂ）は園芸施設と比べてカーテンが小さいとき、弛みを持たせるときのカーテン及びチェーンへの連結フックの係止状態を示す図であり、（ｃ）は園芸施設と比べてカーテンが大きいとき、張り具合を調整するときのカーテン及びチェーンへの連結フックの係止の状態を示す図である。
【図４】園芸施設１０とカーテン１３０の大きさに対応した連結フック１５０のチェーン１４０への取り付け位置を示す図であり、（ａ）は園芸施設に対してカーテンが大きいときの状態を示す図であり、（ｂ）は園芸施設に対してカーテンが小さいときの状態を示す図である。
【図５】カーテンの開閉動作を説明するための図であり、（ａ）はカーテンが閉じられた状態を示す側面図であり、（ｂ）はカーテンの開閉途中の状態を示す側面図であり、（ｃ）はカーテンが開かれた状態を示す側面図である。
【図６】カーテンの一部を畳み込んだ状態を示す斜視図である。
【図７】カーテンの一部を畳み込んだ状態を示す正面図である。
【図８】第２の実施形態のカーテン開閉装置がカーテンを奥行方向の両側から開閉する例を示す側面図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
本発明の第１の実施形態について説明する。まず、本実施形態のカーテン開閉装置１００の全体の構成について、図１及び図２を参照しながら説明する。図１はカーテン開閉装置１００の全体構成を概略的に示した正面図である。図２はカーテン開閉装置１００の側面図である。
【００１８】
本実施形態ではカーテン開閉装置１００を、園芸施設１０に用いた例について説明する。まず、本実施形態に係るカーテン開閉装置１００が用いられた園芸施設１０の全体構成と、園芸施設１０に実施されたカーテン開閉装置１００の全体構成について、図１〜図３を参照しながら説明する。図１は、本実施形態のカーテン開閉装置が用いられた園芸施設のカーテンを閉じた状態における全体構成を示す斜視図である。図２は、カーテンを閉じた状態を示す図であり、（ａ）は正面図であり、（ｂ）は側面図である。図３は、カーテン開閉装置を説明するための図である。
【００１９】
本実施形態に係るカーテン開閉装置１００が用いられた園芸施設１０は、図１及び図２に示したように、長手方向に平行に整列する複数のアーチフレーム１２と、アーチフレーム１２を奥行方向に連結する３本の母屋フレーム１４と、を備えて構成されている。通常、アーチフレーム１２の外周は、図示していないビニールシートによって覆われる。アーチフレーム１２の天井部分の形状は、図１及び図２に示したような山形である。母屋フレーム１４は、アーチフレーム１２の山形の頂点の近傍と、山形の両端に配設される。なお、本明細書において「山形」というときには、特に断りがない限り、両端から中央に向かって実質的に高さが増加する形態をいい、略への字型、アーチ形、円弧状などを含む。必ずしも左右対称でなくてもよい。
【００２０】
カーテン開閉装置１００は、図１に示したように、レール（支持部材）１１０に沿って走行するランナー（案内部材）１２０と、ランナー１２０とともにレール１１０に沿って開閉可能に案内されるカーテン１３０と、を備え、カーテン１３０はチェーン（位置調整部）１４０の複数の環状部（係止部）１４２のうちいずれかと連結フック（連結部）１５０によって連結されることによって、カーテン１３０とレール１１０との相対位置が調整されるように構成される。以下、カーテン開閉装置１００を詳細に説明する。
【００２１】
（レール１１０）
レール１１０は、園芸施設１０にカーテン１３０を開閉可能に取り付けるための支持部材である。レール１１０は、図１に示したように、園芸施設１０の複数箇所（本実施形態では３箇所）に設けられている母屋フレーム１４に沿って固定されており、本実施形態では３箇所の母屋フレーム１４全てに固定されている。図２（ａ）に示したように、アーチフレーム１２の山形の頂点近傍である園芸施設１０の中央に配置される母屋フレーム１４に固定される中央レール１１０−１は、後述する中央ランナー１２０−１が下向きになるように配置される。なお、レールを総称するときは、レール１１０という。
【００２２】
また、アーチフレームの山形の両端である園芸施設１０の両端に配設される母屋フレーム１４に固定される端部レール１１０−２、１１０−３は、後述する端部ランナー１２０−１、１２０−２が対向するように配置される。なお、中央レール１１０−１、端部レール１１０−２、１１０−３を総称するときには、レール１１０という。
【００２３】
レール１１０は、図２（ｂ）に示したように、長尺状であり、母屋フレーム１４とほぼ同様の長さに構成されている。レール１１０は、母屋フレーム１４に沿って、園芸施設１０の奥行き方向に延びるように配置される。中央レール１１０−１は、長手方向の複数箇所において、ブラケット１１２によって母屋フレーム１４に固定されており、端部レール１１０−２、１１０−３は、長手方向の複数箇所において、ブラケット１１２によってアーチフレーム１２に固定されている。
【００２４】
（ランナー１２０）
ランナー１２０は、カーテン１３０をレール１１０に開閉可能に連結する案内部材である。ランナー１２０は、図１に示したように、レール１１０に複数設けられており、レール１１０に沿って走行可能である。ランナー１２０は、中央レール１１０−１に設けられる中央ランナー１２０−１と、端部レール１１０−２、１１０−３に設けられる端部ランナー１２０−２、１２０−３を備える。なお、ランナーを総称するときは、ランナー１２０という。
【００２５】
中央ランナー１２０−１は、図２（ａ）に示したように、中央レール１１０−１に垂下するように配置され、中央ランナー１２０−１から中央ランナー用フック１２２が吊り下げられている。中央ランナー用フック１２２は、後述するカーテン１３０の中央開口部１３２−１に揺動自在材に係止される。
【００２６】
端部ランナー１２０−２、１２０−３は、図２（ａ）に示したように、端部レール１１０−２、１１０−３に互いに対向するように配置され、端部ランナー１２０−２、１２０−３にはチェーン１４０が接続されている。チェーン１４０は、後述するカーテン１３０の端部開口部１３２−２、１３２−３と連結フック１５０により連結される。
【００２７】
（カーテン１３０）
カーテン１３０は、園芸施設１０内の天井部分を開放したり閉鎖したりするものである。カーテン１３０は、図１に示したように、園芸施設１０の奥行方向全長にわたって、アーチフレーム１２に沿って設けられる。カーテン１３０は、図２に示したように、幅方向の中央部が中央レール１１０−１に設けられる中央ランナー１２０−１に連結され、幅方向の両端部が端部レール１１０−２、１１０−３に設けられる端部ランナー１２０−２、１２０−３に連結される。このように、カーテンは、園芸施設１０の天井全体を覆うことができる。
【００２８】
また、カーテン１３０は、図１に示したように、幅方向の中央部と両端部に円形の中央開口部１３２−１と、端部開口部１３２−２、１３２−３とが奥行方向にわたって所定間隔毎に複数形成されている。開口部１３２−１、１３２−２、１３２−３の周囲はハトメが設けられて補強されている。
【００２９】
カーテン１３０の中央開口部１３２−１は、図２（ａ）に示したように、前述のように中央レール１１０−１の中央ランナー１２０−１に連結されている。また、カーテン１３０の両端部の端部開口部１３２−２、１３２−３は、端部レール１１０−２、１１０−３の端部ランナー１２０−２、１２０−３に連結されている。カーテン１３０は、図２（ｂ）に示したように、園芸施設１０の奥行き方向複数箇所でランナー１２０に支持されている。
【００３０】
カーテン１３０の開閉の起端部には、図１に示したように、後述する操作手段１６０が設けられている。カーテン１３０は、操作手段１６０によって開閉が操作される。
【００３１】
（チェーン１４０）
チェーン１４０は、カーテン１３０の幅方向の端部と端部レール１１０−２、１１０−３との相対位置が調整されるようにカーテン１３０と端部ランナー１２０−２、１２０−３とを連結する位置調整部である。以下、チェーン１４０の構成について図３を参照しながら説明する。図３はカーテン開閉装置を説明するための図であり、（ａ）はカーテン、チェーン及び連結フックのそれぞれを説明するための図であり、（ｂ）は園芸施設と比べてテンが小さいとき、弛みを持たせるときのカーテン及びチェーンへの連結フックの係止状態を示す図であり、（ｃ）は園芸施設と比べてカーテンが大きいとき、張り具合を調整するときのカーテン及びチェーンへの連結フックの係止の状態を示す図である。
【００３２】
図３では、園芸施設１０を正面から見て左側に設けられるチェーン１４０を例にとって説明するが、右側に設けられるチェーン１４０も同様の構成である。チェーン１４０は、図３に示したように、複数の環状部１４２が連結されて長尺状に構成されている。環状部１４２は、後述する連結フック１５０が連結される係止部である。
【００３３】
チェーン１４０は、図３（ａ）に示したように、一端が端部ランナー１２０−２に連結され他端が自由端である。図３（ｂ）に示したように、チェーン１４０を構成するいずれかの環状部１４２に後述する連結フック１５０を係止させることによって、カーテン１３０とランナー１２０とを水平方向に連結する。
【００３４】
連結フック１５０は、カーテン１３０とチェーン１４０とを連結する連結部である。連結フック１５０は、図３（ａ）に示したように、略三角形の環状をしており、一辺に開閉部１５２が設けられている。連結フック１５０は、開閉部１５２を開放することにより、環が切れて被係止対象であるカーテン１３０の端部開口部１３２−２とチェーン１４０の環状部１４２に係止することができ、開閉部１５２が閉じることにより、環が閉じて端部開口部１３２−２と環状部１４２とから外れなくなる。
【００３５】
あらかじめカーテン１３０の端部開口部１３２−２に係止しておいた連結フック１５０を、チェーン１４０の好適な環状部１４２に連結するだけで、カーテン１３０を端部ランナー１２０−２に連結する作業と、カーテン１３０と端部レール１１０−２との相対位置を調整する作業とが同時に行われる。
【００３６】
連結フック１５０は、図３（ｂ）に示したように、カーテン１３０の端部開口部１３２−２とチェーン１４０の任意の環状部１４２の両方に係止される。例えば、園芸施設１０に比べてカーテン１３０が小さいときや、レール１１０とカーテン１３０との間に弛みを持たせたいときは、図３（ｂ）に示したように、チェーン１４０の自由端側端部の環状部１４２に連結フック１５０を係止する。
【００３７】
また、園芸施設１０に比べてカーテン１３０が大きいときや、レール１１０とカーテン１３０との間に張りを持たせたいときは、図３（ｃ）に示したように、チェーン１４０の好適な環状部１４２に連結フック１５０を係止する。連結フック１５０に係止された環状部１４２から自由端側に位置する各環状部１４２は、カーテン１３０と干渉することなく垂下する。
【００３８】
（操作手段１６０）
操作手段１６０は、カーテン１３０の開閉を操作するものである。操作手段１６０は、図２（ａ）に示したように、３つの牽引部１６２、１６４、１６６と操作部１６８により構成されている。中央の牽引部１６２の一端は、カーテン１３０の中央開口部１３２−１に連結され、両端の牽引部１６４、１６６の一端はカーテン１３０の両端部の端部開口部１３２−２、１３２−３に連結されている。
【００３９】
また、３つの牽引部１６２、１６４、１６６の他端同士と操作部１６８の一端部とは連結されている。操作部１６８の他端は自由端であり、操作部１６８を把持して操作手段１６０を操作することにより、カーテン１３０を開閉することができる。３つの牽引部１６２、１６４、１６６の他端同士の連結部の高さは、端部レール１１０−２、１１０−３の高さよりも上方に設けられる。操作手段１６０は、本実施形態ではチェーンで構成されているが、紐やベルトなどで構成されてもよい。
【００４０】
以上、本実施形態のカーテン開閉装置１００の構成について説明した。次に、カーテン開閉装置１００の作用について、図４を参照しながら説明する。図４は園芸施設１０とカーテン１３０の大きさに対応した連結フック１５０のチェーン１４０への取り付け位置を示す図であり、（ａ）は園芸施設に対してカーテンが大きいときの状態を示す図であり、（ｂ）は園芸施設に対してカーテンが小さいときの状態を示す図である。
【００４１】
園芸施設１０に比べてカーテン１３０が大きい場合は、図４（ａ）に示したように、カーテン開閉装置１００は、あらかじめカーテン１３０の端部開口部１３２−２、１３２−３に係止しておいた連結フック１５０を、チェーン１４０のランナー側端部寄りの好適な環状部１４２に係止する。本例では、チェーン１４０のランナー側端部の環状部１４２に連結フック１５０を連結している。
【００４２】
園芸施設１０に比べてカーテン１３０が小さい場合は、図４（ｂ）に示したように、カーテン開閉装置１００は、チェーン１４０の自由端部寄りの任意の環状部１４２に連結フック１５０を係止する。本例では、チェーン１４０の自由端部から４つ目の環状部１４２に連結フック１５０を連結している。
【００４３】
このように、園芸施設１０とカーテン１３０の大きさにかかわらず、カーテン１３０の端部開口部１３２−２、１３２−３に係止しておいた連結フック１５０を、チェーン１４０の好適な環状部１４２に連結するだけで、カーテン１３０を端部ランナー１２０−２、１２０−３に連結する作業と、カーテン１３０と端部レール１１０−２との相対位置を調整する作業と、が同時に行われる。また、連結フック１５０に係止された環状部１４２から自由端側に位置する各環状部１４２は、カーテン１３０と干渉することなく垂下する。
【００４４】
以上、本実施形態のカーテン開閉装置１００の作用について説明した。次に、カーテン開閉装置１００の動作について、図５〜図７を参照しながら説明する。図５は、カーテンの開閉動作を説明するための図であり、（ａ）はカーテンが閉じられた状態を示す側面図であり、（ｂ）はカーテンの開閉途中の状態を示す側面図であり、（ｃ）はカーテンが開かれた状態を示す側面図である。図６は、カーテンの一部を畳み込んだ状態を示す斜視図である。図７は、カーテンの一部を畳み込んだ状態を示す正面図である。
【００４５】
（カーテン１３０の開放動作）
カーテン１３０を開けるときには、図５（ａ）に示す操作手段１６０の操作部１６８を持って園芸施設１０の奥行方向の奥側に移動する。これにより、図６に示したように、３つの牽引部１６２、１６４、１６６の連結部が操作部１６８に引っ張られて、３つの牽引部１６２、１６４、１６６の一端がそれぞれ連結されている３つのランナー１２０を一斉に園芸施設１０の奥行方向の奥側に向けて引っ張る。このため、カーテン１３０が園芸施設１０の奥行方向の奥側に向かって畳み込まれていく。
【００４６】
よって、図５（ｂ）に示したように、各ランナー１２０がレール１１０に沿って園芸施設１０の奥行方向に移動し、カーテン１３０が開けられる。操作部１６８を園芸施設１０の奥行方向にさらに引っ張ると、図５（ｃ）に示したように、カーテン１３０は、カーテンは園芸施設１０の奥側に畳み込まれる。
【００４７】
（カーテン１３０の閉鎖動作）
次に、カーテン１３０を閉じるときには、図５（ｃ）に示す操作部１６８を持って園芸施設１０の奥行方向の手前側に移動する。これにより、前述したカーテン１３０を開放するときとは逆に、図６に示したように、３つのランナー１２０が一斉に園芸施設１０の奥行方向の手前側に向けて引っ張られる。このため、各ランナー１２０がレール１１０に沿って園芸施設１０の奥行方向に沿って移動していく。よって、図５（ｂ）に示したように、畳み込まれていたカーテン１３０が、展開していく。このようにして、カーテン１３０が、図５（ａ）に示したように、閉じられる。
【００４８】
以上のようなカーテン１３０の開閉動作の際に、図７に示したように、チェーン１４０の連結フック１５０に係止された環状部１４２から自由端側に位置する各環状部１４２は、カーテン１３０と干渉することなく垂下している。このため、垂下した環状部１４２がカーテン１３０の開閉動作の邪魔になることはない。
【００４９】
（第１の実施形態の効果）
以上説明したように、本実施形態によれば、ランナー１２０には長手方向に複数に環状部１４２を有するチェーン１４０が接続され、カーテン１３０は複数の環状部１４２のうちいずれかと連結フック１５０によって連結するようにしたため、ランナー１２０とカーテン１３０との距離に合わせて位置調整部に対する連結フック１５０の係止位置を変更することで、ランナー１２０とカーテン１３０とを連結すると同時に好みの距離に設定することができる。また、チェーン１４０をカーテン１３０の左右に位置するランナー１２０に設け、係止する環状部１４２の位置を左右で合わせることで、カーテン１３０の左右のバランスをとることができる。特に園芸施設１０内に設置されるカーテン１３０に適用した場合は、園芸施設１０の大きさに合わせてカーテン１３０の張り具合を最適な状態となるよう調整できる。
【００５０】
また、チェーン１４０のいずれかの環状部１４２を連結フック１５０によってカーテン１３０に連結するだけで、カーテン１３０の張り具合を最適な状態となるよう調整できる。また、チェーンを採用することで高い耐久性を備えることができる。
【００５１】
また、チェーン１４０は、一端がランナー１２０に接続され、他端が自由端であり、連結フック１５０に係止された環状部１４２から自由端側に位置する各環状部１４２は、前記カーテン１３０と干渉することなく垂下するようにした。このため、係止位置の調整によってチェーンの余剰となった部分はカーテン１３０と干渉することなく自重によって垂下するので、カーテン１３０の開閉に支障が出ることを防止できる。
【００５２】
また、ランナー１２０と前記カーテン１３０とは水平方向に連結する構成であるため、本実施形態のカーテン開閉装置１００を園芸施設１０内で使用するのに好適である。すなわち、園芸施設１０内で天井部を覆うようにカーテン１３０を設ける場合、園芸施設１０内の天頂部と左右の肩部にレール１１０を配置し、左右の肩部に配置したレール１１０に沿って開閉するランナー１２０とカーテン１３０とを連結するような構成が考えられるが、ランナー１２０とカーテン１３０とを水平方向に連結できるため、カーテン１３０を水平方向に配置することができる。よって、園芸施設１０内で天井部を覆うようにカーテン１３０を容易に設置することができる。
【００５３】
また、ランナー１２０とカーテン１３０とは水平方向に連結可能であり、かつランナー１２０とカーテン１３０とをチェーン１４０を介して連結するようにすると、チェーン１４０は水平方向に配置されることになり、ランナー１２０とカーテン１３０とを容易に水平方向に連結できる。さらにこのような構成を園芸施設１０内の天井部を覆うように設置されるカーテン１３０に適用した場合は、園芸施設１０の大きさに合わせてカーテン１３０の張り具合を最適な状態となるよう調整できる。
【００５４】
またさらに、ランナー１２０とカーテン１３０とは水平方向に連結可能であり、かつチェーン１４０の一端がランナー１２０に接続され他端が自由端である構成と併用すると、連結フック１５０に係止された環状部１４２から自由端側に位置する各環状部１４２が自然に垂下し、チェーン１４０とカーテン１３０との干渉が回避されて、カーテン１３０の開閉に支障が出ることを防止できる。
【００５５】
（第２の実施形態）
第２の実施形態のカーテン開閉装置２００について、図８を参照しながら説明する。図８は、第２の実施形態のカーテン開閉装置がカーテンを奥行方向の両側から開閉する例を示す側面図である。本実施形態のカーテン開閉装置２００は、第１の実施形態のカーテン開閉装置１００がカーテン１３０を園芸施設１０の奥行方向の片側からの開閉するものであったのに対し、カーテン２３０を園芸施設１０の奥行方向の両側から開閉するものである。
【００５６】
カーテン開閉装置２００は、図８に示したように、園芸施設１０の奥行方向において、カーテン２３０の両端部に操作手段２６０が設けられる。このような構成により、カーテン２３０は、園芸施設１０の奥行方向の両側から開閉する。その他の点については、上記第１の実施形態と実質的に同様であるので、重複説明を省略する。
【００５７】
（第２の実施形態の効果）
以上説明したように、本実施形態によれば、カーテン２３０を両側から開閉するようにしたことにより、園芸施設１０の所望の位置に日向や日陰を作ることができるため、園芸施設１０の使用方法にバリエーションが増える。
【００５８】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５９】
例えば、上記実施形態では、カーテン開閉装置１００を、園芸施設１０に用いた例について説明したが本発明はこれに限定されず、各種施設に採用することができる。
【００６０】
例えば、上記実施形態では、位置調整部は長尺状のチェーン１４０であり、係止部はチェーン１４０を構成する環状部１４２である構成としたが、本発明はこの例に限定されない。位置調整部はカーテンとレールとの相対位置を調整できるものであれば何でもよい。例えば、位置調整部を板状の部材として、係止部としてフックや穴などを設けた構成でもよい。
【００６１】
また、上記実施形態では、チェーン１４０は、一端が端部ランナー１２０−２、１２０−３に接続され、他端が自由端であり、連結フック１５０に係止された環状部１４２から自由端側に位置する各環状部１４２は、カーテン１３０と干渉することなく垂下する構成としたが、本発明はこの例に限定されない。連結フックに係止された環状部から自由端側に位置する各環状部は、垂下される構成とされなくてもよい。例えば、自由端に位置する環状部を連結フックに係止させたり、他の環状部や端部ランナーに連結したりするなどしてもよい。
【００６２】
また、上記実施形態では、端部ランナー１２０−２、１２０−３とカーテン１３０とは水平方向に連結したが、本発明はこの例に限定されない。端部ランナーとカーテンとは、必ずしも水平方向に連結される必要はなく、例えば、水平方向からわずかにずれたり、端部ランナーとカーテンとを鉛直方向や、斜め方向に連結したりしてもよい。
【００６３】
また、上記実施形態では、中央ランナー１２０−１はチェーン１４０及び連結フック１５０を介さずに中央ランナー用フック１２２によって中央開口部１３２−１と連結するようにしたが、本発明はこの例に限定されない。中央ランナー１２０−１と中央開口部１３２−１とをチェーン１４０及び連結フック１５０によって連結し、カーテン両端部だけでなくカーテン幅方向の中央部も位置調整可能に各ランナーと連結するようにしてもよく、カーテン幅方向の中央部のみ位置調整可能に各ランナーと連結してもよい。
【００６４】
上記実施形態、応用例、変形例は、任意に組み合わせて実施することができる。
【符号の説明】
【００６５】
１０  園芸施設
１２  アーチフレーム
１４  母屋フレーム
１００、２００  カーテン開閉装置
１１０  レール（支持部材）
１１０−１  中央レール
１１０−２、１１０−３  端部レール
１１２  ブラケット
１２０  ランナー（案内部材）
１２０−１  中央ランナー（案内部材）
１２０−２、１２０−３  端部ランナー（案内部材）
１２２  中央ランナー用フック
１３０、２３０  カーテン
１３２−１  中央開口部
１３２−２、１３２−３  端部開口部
１４０  チェーン（位置調整部）
１４２  環状部（係止部）
１５０  連結フック（連結部）
１５２  開閉部
１６０、２６０  操作手段
１６２、１６４、１６６  牽引部
１６８  操作部
【図１】
2018138007.tif 000003
【図２】
2018138007.tif 000004
【図３】
2018138007.tif 000005
【図４】
2018138007.tif 000006
【図５】
2018138007.tif 000007
【図６】
2018138007.tif 000008
【図７】
2018138007.tif 000009
【図８】
2018138007.tif 000010